(57)【特許請求の範囲】
【請求項１】
前身頃の上端両側には前紐を延ばし、後身頃上端両側には後紐を延ばした袴において、上記前紐の一方は８文字状のクロス部を形成すると共に伸縮性を有し、先端にはフックを取付け、他方の前紐には複数の止め具を取付け、該フックが止め具に係止することで両前紐が互いに連結し、上記クロス部を一文字帯などで対をなすように設けた羽根に係止することを可能にしたことを特徴とする袴。
【請求項２】
上記、クロス部として２つのリングを連結具にて繋いで構成した請求項１記載の袴。
【請求項３】
一文字帯などの対を成して羽根を有す帯を用いて着た着物に袴を着付けする方法において、袴は前身頃の上端両側に前紐を延ばし、後身頃上端両側に後紐を延ばした形態とし、上記前紐の一方は８文字状のクロス部を形成すると共に伸縮性を有し、先端にはフックを取付け、他方の前紐には複数の止め具を取付けて構成し、上記前身頃を身体の正面に配置して上記フックを止め具に係止することで両前紐を互いに連結し、そして上記クロス部を着物帯に設けた羽根に係止し、さらに後身頃上端に設けた板部を上記着物帯の上方に配置して両後紐を結んで着用することを特徴する袴の着付け方法。
【発明の詳細な説明】
【技術分野】
【０００１】
本発明は、素人であっても簡単に着用することが出来ると共に、位置ズレしない袴及び袴の着付け方法に関するものである。
【背景技術】
【０００２】
袴とは腰から下を包む和装の着用物であって、該袴は前後２部（前身頃と後身頃）からなり、下部は筒状で一般に左右に分かれて両脚を通す形態と成っており、また上端部には紐を備えている。一口に袴と言ってもその種類は表袴、大口袴、小口袴、紅袴、長袴など色々あって、用途に応じて使われているが、袴を着用するには両脚を通して上部に設けている紐を腰に締付ける。
【０００３】
図４は従来の長袴を示す具体例であり、前身頃の上端部には前紐（イ）、（イ）が両側に延びており、また後身頃の上端部にも後紐（ロ）、（ロ）が両側に延びている。該長袴を着用する場合には、両脚を通すと共に前身頃を腹の正面に配置して両前紐（イ）、（イ）を腰に締め、また後身頃を背中に配置して両後紐（ロ）、（ロ）を締める。
【０００４】
昔は、袴は羽織と共に礼装用として用いられることが多かったが、近年では大学の卒業式に袴を着用するケースも増えている。特に女子学生の間では袴に人気が高く、袴を着用して卒業式に臨む人も多い。
しかし、袴を着用することは着物を着付けする場合と同じく、素人では上手く着用することは容易でない。
【０００５】
すなわち、着用した袴がズレ下がったり、又は腰の周りで回転するなどし、位置ズレを生じる。その為に着ている着物との位置関係がズレてしまって、バランスが崩れてしまう。勿論、前身頃の前紐（イ）、（イ）及び後身頃の後紐（ロ）、（ロ）を強く締めることで位置ズレを抑制することは可能であるが、これら前紐（イ）、（イ）及び後紐（ロ）、（ロ）強く締めるならば窮屈感を覚える。
【０００６】
一方、大学の卒業式では卒業する女子学生が数百人以上となる場合もあり、特に大きな大学ともなれば千人以上にもなる場合も珍しくない。このような場合に女子学生の大半が袴を着用しようとしても着付けする業者が限られ、その為に袴の着用を希望しても無理なケースが発生する。
【発明の開示】
【発明が解決しようとする課題】
【０００７】
このように、袴を着用するには上記のごとき問題がある。本発明が解決しようとする課題はこれら問題点であって、素人であっても自分で簡単に着用することが出来ると共に、紐を強く締めなくても位置ズレすることのない袴及び該袴の着付け方法を提供する。
【課題を解決するための手段】
【０００８】
本発明に係る袴は袴本体と紐で構成し、袴本体は従来の袴と共通している。すなわち、袴本体の上部は前身頃と後身頃に分かれ、下部は筒状と成って、一般には左右に分かれてそれぞれに脚を通すことが出来る。勿論、左右に分かれていないで袴本体を構成することも多い。紐は前身頃上端両側と後身頃上端両側にそれぞれ取付けられて外方向へ延びているが、上記前紐の一方側は伸縮性のあるゴム紐とし、しかも８文字状のクロス部を有している。そして、該前紐の先端にはフックを止着しており、他方の前紐には複数の止め具が所定の間隔をおいて取着されている。
【０００９】
そこで、一方側の前紐先端に止着しているフックを、他方の前紐に止着した止め具に係止することで、両前紐は互いに連結して腰に締付けられ、前身頃は正面に固定される。
また、後身頃の上端両側には後紐が両側へ延びており、この後紐を腰に締めることで後身頃は背中に固定される。
ところで、前身頃を身体の正面に配置して両前紐を連結するが、一方の前紐に形成している８文字状のクロス部は一文字帯の各羽根に係止して位置決めされる。そして、両後身頃の上端に設けている板部を一文字帯の上方に配置し、両後紐を腰に締付けることで袴の着用が出来る。
【発明の効果】
【００１０】
本発明に係る袴は前身頃に取付けている一方の前紐先端にはフックを止着し、他方の前紐には止め具を取付けている。そこで、該フックを止め具に係止することで両前紐は互いに連結することが出来、両前紐を結ぶ必要がなく便利である。しかも、一方の前紐には８文字状のクロス部が形成され、この伸縮性のあるクロス部は一文字帯の各羽根にダブ付くことなく一定の緊張状態で係止することが出来、その為に前紐が位置ズレすることはなく、前身頃は身体の正面に正しく配置される。
【００１１】
そして、後身頃はその上端部に設けている板部を一文字帯の上方に配置して後紐を腰に締めることで後身頃は背中に正しく固定される。
着物を着用する際の一文字帯が所定の位置に正しく結ばれることで、該一文字帯に前紐のクロス部を係止して袴を素人であっても一人で正しく着用できる。すなわち、本発明の袴は紐を必要以上に強く締め付けることなく位置ズレが防止され、窮屈感を覚えることなく正しく着用出来る。
【図面の簡単な説明】
【００１２】
【図１】本発明に係る袴の実施例を示す正面図。
【図２】本発明に係る袴の前紐のクロス部が一文字帯に係合している場合。
【図３】袴の前紐に形成しているクロス部が係止する羽根を備えた一文字帯を示す具体例。
【図４】従来の一般的な袴を示す具体例。
【発明を実施するための形態】
【００１３】
図１は本発明に係る袴を示す実施例であり、同図の１は袴本体、２ａ，２ｂは前紐、３ａ，３ｂは後紐をそれぞれ表している。前紐２ａ，２ｂは袴本体１の前身頃４の上端に縫付けされて両側へ延びており、一方の前紐２ａは伸縮性のゴム紐で構成され、その形状は８文字状にクロスしたクロス部５を形成している。
ここで、該クロス部５の具体的な形態は特に限定しないが、図１に示す実施例では対を成すリング６ａ，６ｂが連結具７によって繋がれることで、８文字状のクロス部５を形成している。そして、該前紐２ａの先端（リング６ａ）にはフック８を止着している。
【００１４】
他方の前紐２ｂは伸縮しないバンドとし、該前紐２ｂには複数の止め具９ａ，９ｂ，９ｃが取付けられている。ここで、上記フック８は止め具９ａ，９ｂ，９ｃの何れかに係止して両前紐２ａ，２ｂは互いに連結することが出来、前身頃は身体の正面に配置される。
一方、後身頃の上端両側には後紐３ａ，３ｂが取付けられて外方向へ延びている。ここで、後紐３ａ，３ｂは後身頃を身体の背面に配置して固定するだけであれば、前紐２ｂと同じように一定の細幅紐でよいが、正面で結んだ場合の装飾性を備える為に幅広の生地が用いられている。
【００１５】
ところで、上記前紐２ａはその先端のフック８が前紐２ｂに設けている止め具９ａ，９ｂ，９ｃに係止すると共に、該前紐２ａに形成した８文字状のクロス部５は着物を着用する際に使用している一文字帯の各羽根に係止することが出来る。
図２は上記クロス部５が一文字帯１０の羽根１１ａ，１１ｂに係止した状態を示している。クロス部５は２個のリング６ａ，６ｂが連結具７によって繋がれており、伸縮する各リング６ａ，６ｂがそれぞれの羽根１１ａ，１１ｂにダブ付くことなく所定の緊張状態で係止している。
【００１６】
すなわち、羽根１１ａ，１１ｂを抱くように拘束し、その為にクロス部５が位置ズレすることはなく、クロス部５が位置ズレしないことで前身頃４は身体の正面に正しく配置して止着される。従来のように前紐にて締付けただけでは腰の周りを回ってしまうが、羽根１１ａ，１１ｂにリング６ａ，６ｂが係止することで回ることはない。また、位置ズレしないように強く締め付けたのでは窮屈感を覚えるが、本発明ではその必要性もない。
【００１７】
本発明の袴は強く締めなくても位置ズレしないで着用することが出来るように成っている。このように前身頃が止着されたところで、後身頃を背後に配置して後紐３ａ，３ｂで締め付けることになるが、後身頃の上端に設けている板部を一文字帯１０の上方に配置した状態で該後紐３ａ，３ｂを締めることになる。
【００１８】
図３は前紐２ａ，２ｂに形成しているクロス部５が係合する一文字帯１０を示す具体例である。同図は一文字帯１０の内面側を示しているが、帯１４の先端には伸縮性のあるバンド１２を延ばし、該バンド１２の先端にフック１３を連結している。そして、帯１４の中央部にはウエストサイズに合うように長さ調整が出来る長さ調整具１５を備えたバンド１６を取付けている。
また、帯１４の反対側先端部内面には粘着テープ１７を設け、上記バンド１２側の表側先端部にも粘着テープ（図示なし）を設けている。
【００１９】
羽根１１ａ，１１ｂは帯１４の表側に対を成して取付けており、着物を着用して一文字帯１０を簡単に締めることが出来る。すなわち、帯１４をウエストに巻付け、フック１３を帯中央部に取付けているバンド１６の先端に係止し、そして、帯１４の先端部を正面側に巻付けて内面側に設けている上記粘着テープ１７を表側に設けている粘着テープ（図示なし）に貼り付けることが出来る。
【００２０】
このように、図３に示す一文字帯１０を使用するならば、素人であっても着物を簡単に着ることが出来る。そして、袴を着用する場合も、一文字帯１０の羽根１１ａ，１１ｂに前紐２ａに形成したクロス部５のリング６ａ，６ｂを係止することで、素人であっても他人の手助けを要しないで一人で着用出来る。
【００２１】
ここで、ウエストに締めた一文字帯１０は対を成す羽根１１ａ，１１ｂが背中に位置するように配置する。
本発明の袴では、前紐２ａにクロス部５を形成し、このクロス部５が係止することが出来る羽根１１ａ，１１ｂを有す帯を必要とするが、一文字帯１０に限るものではない。
【符号の説明】
【００２２】
１   袴本体
２   前紐
３   後紐
４   前身頃
５   クロス部
６   リング
７   連結具
８   フック
９   止め具
10   一文字帯
11   羽根
12   バンド
13   フック
14   帯
15   長さ調整具
16   バンド
17   粘着テープ
【図１】
0006373815.tif 000002
【図２】
0006373815.tif 000003
【図３】
0006373815.tif 000004
【図４】
0006373815.tif 000005